(57)【要約】  カートリッジを封止するためのキャップは、キャップ本体と、プラグと、付勢部材とを含む。キャップ本体は、キャップ壁と、キャップ壁から延在する環状壁とを含む。環状壁は内部にチャネルを画定し、掛かり部分と、掛かり部分から離間した停止部と、環状壁の一部の周囲で掛かり部分から停止部まで周方向に延在する基部とを有する保持部材を含む。掛かり部分、停止部、及び基部は、保持チャネルを画定する。プラグは、キャップ本体のチャネル内に配置される。プラグは、プラグ壁と、プラグ壁から延在するプラグ部材とを含む。付勢部材は、プラグ壁とキャップ壁との間のキャップ本体のチャネル内に配置される。付勢部材は、キャップ壁をプラグ壁から離れるように付勢するための付勢力を提供するように構成されている。
2021524424.tif 000002
【特許請求の範囲】
【請求項１】
流体を収容するカートリッジを封止するためのキャップであって、カートリッジ本体と、前記カートリッジ本体から外側に延在するフランジとを含み、前記カートリッジ本体はカートリッジ出口を画定し、前記キャップは、
キャップ壁と、前記キャップ壁から近位方向に延在する環状壁とを含むキャップ本体であって、前記環状壁は、内部にチャネルを画定し、保持部材を含む、キャップ本体と、
前記キャップ本体の前記チャネル内に少なくとも部分的に配置されたプラグであって、前記カートリッジ出口を実質的に封止するように構成されているプラグと、
前記キャップ壁を前記遠位方向に付勢するための付勢力を提供するように構成されている付勢部材と、を含み、
前記キャップは、ロック位置とロック解除位置との間で回転的に移行するように構成され、前記ロック位置において、前記保持部材は前記カートリッジの前記フランジに固定され、前記プラグは前記カートリッジ出口を実質的に封止し、前記付勢部材によって提供される前記付勢力は、前記キャップを前記ロック位置に保持し、前記ロック解除位置において、前記保持部材は前記フランジに固定されていない、キャップ。
【請求項２】
前記キャップは、解放位置に移行するように更に構成され、前記キャップは、前記キャップ本体を前記カートリッジ本体に対して回転させることによって、前記ロック解除位置と前記解放位置との間で移行し、前記キャップは、前記キャップ本体を前記カートリッジ本体に対して前記遠位方向に移動させることによって、前記解放位置から前記ロック位置に移行し、前記付勢部材によって提供される前記付勢力は、前記キャップを前記解放位置から前記ロック位置へと付勢する、請求項１に記載のキャップ。
【請求項３】
前記ロック位置において、前記カートリッジ本体に対する前記キャップ本体の回転が実質的に防止され、前記キャップ本体に前記近位方向に提供されるロック解除力は前記キャップを前記ロック位置から前記解放位置に移行させ、前記ロック解除力は、前記付勢部材によって提供される前記付勢力よりも大きい、請求項２に記載のキャップ。
【請求項４】
前記保持部材は、掛かり部分と、前記掛かり部分から離間した停止部と、前記掛かり部分から前記停止部まで前記環状壁の周囲で円周方向に延在する基部とを含み、前記掛かり部分、前記停止部、及び前記基部は保持チャネルを画定し、前記フランジは、前記キャップが前記ロック位置にあるとき、前記保持チャネル内に配置されている、請求項３に記載のキャップ。
【請求項５】
前記保持部材は、前記環状壁の外面上に配置されている、請求項１に記載のキャップ。
【請求項６】
前記プラグは、プラグ壁と、前記プラグ壁から前記近位方向に延在するプラグ部材とを含み、前記付勢部材は、前記プラグ壁と前記キャップ壁との間に配置され、前記付勢力は、前記キャップ壁を前記プラグ壁から離れる方向に付勢する、請求項１に記載のキャップ。
【請求項７】
前記付勢部材は、前記プラグ及び前記付勢部材が単一の構成要素を形成するように、前記プラグ壁の遠位側に形成されている、請求項６に記載のキャップ。
【請求項８】
前記付勢部材は、前記キャップ本体及び前記付勢部材が単一の構成要素を形成するように、前記キャップ壁の近位側に形成されている、請求項６に記載のキャップ。
【請求項９】
前記付勢部材はばねを含む、請求項６に記載のキャップ。
【請求項１０】
前記カートリッジ出口は第１のカートリッジ出口であり、前記カートリッジ本体は第２のカートリッジ出口を更に画定し、前記プラグ部材は第１のプラグ部材であり、前記プラグは、前記プラグ壁から前記近位方向に延在する第２のプラグ部材を更に含み、前記第１のプラグ部材は、前記第１のカートリッジ出口を実質的に封止するように構成され、前記第２のプラグ部材は、前記第２のカートリッジ出口を実質的に封止するように構成されている、請求項６に記載のキャップ。
【請求項１１】
前記付勢部材は、前記キャップ本体の前記環状壁の近位端と前記カートリッジ本体の近位端との間に配置されている、請求項１に記載のキャップ。
【請求項１２】
流体カートリッジアセンブリであって、
流体カートリッジであって、
カートリッジ出口を画定するカートリッジ本体と、
前記カートリッジ本体から外向きに延在するフランジと、を含む、流体カートリッジと、
キャップであって、
キャップ壁と、前記キャップ壁から近位方向に延在する環状壁とを含むキャップ本体であって、前記環状壁は、内部にチャネルを画定し、保持部材を含む、キャップ本体と、
前記キャップ本体の前記チャネル内に少なくとも部分的に配置されたプラグであって、前記カートリッジ出口を実質的に封止するように構成されているプラグと、
前記キャップ壁を前記遠位方向に付勢するための付勢力を提供するように構成されている付勢部材と、を含む、キャップと、を含み、
前記キャップは、ロック位置とロック解除位置との間で回転的に移行するように構成され、前記ロック位置において、前記保持部材は前記フランジに固定され、前記プラグ部材は前記カートリッジ出口を実質的に封止し、前記付勢部材によって提供される前記付勢力は、前記キャップを前記ロック位置に保持し、前記ロック解除位置において、前記保持部材は前記フランジに固定されていない、流体カートリッジアセンブリ。
【請求項１３】
前記キャップは、解放位置に移行するように更に構成され、前記キャップは、前記キャップ本体を前記カートリッジ本体に対して回転させることによって、前記ロック解除位置と前記解放位置との間で移行し、前記キャップは、前記キャップ本体を前記カートリッジ本体に対して前記遠位方向に移動させることによって、前記解放位置から前記ロック位置に移行し、前記付勢部材によって提供される前記付勢力は、前記キャップを前記解放位置から前記ロック位置へと付勢する、請求項１２に記載の流体カートリッジアセンブリ。
【請求項１４】
前記ロック位置において、前記カートリッジ本体に対する前記キャップ本体の回転が実質的に防止され、前記キャップ本体に前記近位方向に提供されるロック解除力は前記キャップを前記ロック位置から前記解放位置に移行させ、前記ロック解除力は、前記付勢部材によって提供される前記付勢力よりも大きい、請求項１３に記載の流体カートリッジアセンブリ。
【請求項１５】
前記プラグは、プラグ壁と、前記プラグ壁から前記近位方向に延在するプラグ部材とを含み、前記カートリッジ本体によって画定される前記カートリッジ出口は第１のカートリッジ出口であり、前記プラグの前記プラグ部材は第１のプラグ部材であり、前記カートリッジ本体は、第２のカートリッジ出口を更に画定し、前記プラグは、前記プラグ壁から前記近位方向に延在する第２のプラグ部材を更に含み、前記ロック位置において、前記第２のプラグ部材は前記第２のカートリッジ出口を実質的に封止する、請求項１２に記載の流体カートリッジアセンブリ。
【請求項１６】
前記付勢部材は、前記キャップ本体の前記環状壁の近位端と前記カートリッジ本体の遠位端との間に配置されている、請求項１２に記載の流体カートリッジアセンブリ。
【請求項１７】
前記付勢部材は、前記カートリッジ本体及び前記付勢部材が単一の構成要素を形成するように、前記カートリッジ本体の遠位側に形成されている、請求項１６に記載の流体カートリッジアセンブリ。
【請求項１８】
前記付勢部材は、前記キャップが前記ロック位置にあるとき、前記環状壁の前記近位端と直接接触している、請求項１６に記載の流体カートリッジアセンブリ。
【請求項１９】
前記プラグは、プラグ壁と、前記プラグ壁から前記近位方向に延在するプラグ部材とを含み、前記付勢部材は、前記プラグ壁と前記キャップ壁との間に配置されている、請求項１６に記載の流体カートリッジアセンブリ。
【請求項２０】
流体を収容するカートリッジを封止するためのキャップであって、前記キャップが、
キャップ壁と、前記キャップ壁から近位方向に延在する環状壁とを含むキャップ本体であって、前記環状壁は、内部にチャネルを画定し、前記環状壁は、掛かり部分を有する保持部材と、前記掛かり部分から離間して配置された停止部と、前記環状壁の一部の周囲で前記掛かり部分から前記停止部まで円周方向に延在する基部と、を含み、前記掛かり部分、前記停止部、及び前記基部は保持チャネルを画定する、キャップ本体と、
前記キャップ本体の前記チャネル内に少なくとも部分的に配置されたプラグであって、プラグ壁と、前記プラグ壁から前記近位方向に延在するプラグ部材と、を含む、プラグと、
前記プラグ壁と前記キャップ壁との間の前記キャップ本体の前記チャネル内に配置された付勢部材であって、前記キャップ壁を前記プラグ壁から離れる方向に付勢する付勢力を提供するように構成されている、付勢部材と、を備える、キャップ。
【請求項２１】
前記保持部材は、前記環状壁の外面上に配置されている、請求項２０に記載のキャップ。
【請求項２２】
前記保持部材は第１の保持部材であり、前記環状壁は、第２の保持部材を更に含み、前記第２の保持部材は、停止部と、前記停止部から前記環状壁の一部の周囲に円周方向に延在する基部と、を含み、前記第１の保持部材は、前記第２の保持部材に円周方向に隣接している、請求項２１に記載のキャップ。
【請求項２３】
前記付勢部材は、前記プラグ及び前記付勢部材が単一の構成要素を形成するように、前記プラグ壁の遠位側に形成されている、請求項２０に記載のキャップ。
【請求項２４】
前記付勢部材は、前記キャップ本体及び前記付勢部材が単一の構成要素を形成するように、前記キャップ壁の近位側に形成されている、請求項２０に記載のキャップ。
【請求項２５】
前記付勢部材はばねを含む、請求項２０に記載のキャップ。
【請求項２６】
前記プラグ部材は第１のプラグ部材であり、前記プラグは、前記近位に前記プラグ壁から延在する第２のプラグ部材を更に含む、請求項２０に記載のキャップ。
【発明の詳細な説明】
【技術分野】
【０００１】
本発明は、一般に、流体カートリッジアセンブリに関し、より具体的には、封止キャップを用いて流体カートリッジを封止するためのアセンブリに関する。
【０００２】
関連出願の相互参照
本出願は、その全体が参照により本明細書に組み込まれる、２０１８年５月２２日に出願された米国仮出願第６２／６７５，０５３号の優先権を主張する。
【背景技術】
【０００３】
封止キャップを用いてシリンジなどの流体カートリッジを封止することは、当技術分野において一般的に知られている。流体カートリッジに取り付けられ、固定され、また流体カートリッジから取り外されて、その流体カートリッジから流体を出し入れすることを制御することができるキャップを備える流体カートリッジアセンブリには、様々なタイプがある。
【０００４】
封止キャップ及びカートリッジアセンブリの例としては、ツイスト型接続、バーブ型接続、スナップ型接続、又は他の接続が挙げられる。ツイスト型接続は、例えば、封止キャップと流体カートリッジとの間に、ねじ式接続又はバヨネットツイスト接続を含む。ツイスト型接続では、キャップは、対向する方向に回転されて、キャップを流体カートリッジに取り付け、また流体カートリッジから取り外すことができる。バーブ型接続及びスナップ型接続の場合、キャップの掛かり部分がカートリッジのフランジに引っ掛かる。これらの従来のキャップ及びカートリッジアセンブリでは、封止キャップは、意図せずに流体カートリッジから外れる場合があり（例えば、不注意による子供のアクセス）、これにより、流体カートリッジの内容物を尚早に漏出させ、キャップ及びカートリッジアセンブリに近接しているユーザ又は他の人々に被害を与える可能性がある。
【０００５】
したがって、流体カートリッジからの内容物の早期漏出を防止するために、改善された封止キャップが必要とされている。
【発明の概要】
【０００６】
本発明は、封止キャップの流体カートリッジへの取り付け及び取り外しを確実にするための改善された流体カートリッジアセンブリを提供する。封止キャップは、封止キャップを固定／ロックするための任意の選択肢を現在有していない、既存の市販の流体カートリッジと共に使用するように適合された、正のロック特徴部を含む。
【０００７】
本発明の態様は、流体カートリッジを封止するためのキャップを提供する。流体カートリッジは、カートリッジ本体と、カートリッジ本体から外向きに延在するフランジとを含む。カートリッジ本体は、カートリッジ出口を画定する。キャップは、キャップ本体と、プラグと、付勢部材とを備える。キャップ本体は、遠位壁（例えば、キャップ壁）と、遠位壁から近位方向に延在する環状壁とを含む。環状壁は、内部にチャネルを画定し、保持部材を含む。プラグは、キャップ本体のチャネル内に少なくとも部分的に配置され、カートリッジ出口を実質的に封止するように構成されている。付勢部材は、遠位壁を遠位方向に付勢するための付勢力を提供するように構成されている。キャップは、ロック位置とロック解除位置との間で回転可能に移行するように構成されている。ロック位置において、保持部材はフランジに固定され、プラグ部材はカートリッジ出口を実質的に封止する。付勢部材によって提供される付勢力は、キャップをロック位置に保持する。ロック解除位置では、保持部材はフランジに固定されない。
【０００８】
本発明の別の態様は、流体カートリッジ及びキャップを備える流体カートリッジアセンブリを提供する。流体カートリッジは、カートリッジ本体、及び当該カートリッジ本体から外向きに延在するフランジを含む。キャップは、流体カートリッジに結合して内部で流体を封止するように構成される。
【０００９】
本発明の別の態様は、流体を含むカートリッジを封止するためのキャップの代替的な態様を提供する。キャップは、キャップ本体と、プラグと、付勢部材とを含む。キャップ本体は、遠位壁と、遠位壁から近位方向に延在する環状壁とを含む。環状壁は内部にチャネルを画定し、掛かり部分と、掛かり部分から離間した停止部と、環状壁の一部の周囲で掛かり部分から停止部まで周方向に延在する基部とを有する保持部材を含む。掛かり部分、停止部、及び基部は、保持チャネルを画定する。プラグは、キャップ本体のチャネル内に少なくとも部分的に配置される。プラグは、プラグ壁と、プラグ壁から近位方向に延在するプラグ部材とを含む。付勢部材は、プラグ壁と遠位壁との間のキャップ本体のチャネル内に配置される。付勢部材は、遠位壁をプラグ壁から離れるように付勢するための付勢力を提供するように構成されている。
【００１０】
前述の「発明の概要」、並びに本出願の例示的実施形態についての以下の「発明を実施するための形態」は、添付の図面と併せて読むと、よりよく理解されるであろう。本出願を例示するために、本発明の例示的実施形態が図面において示されている。しかしながら、本願は、図示されている正確な配置及び手段に制限されるものではないことを理解されたい。
【図面の簡単な説明】
【００１１】
【図１】本発明の態様による流体カートリッジアセンブリの側面図を示す。
【図２Ａ】本発明の態様による流体カートリッジの遠位端の斜視図を示す。
【図２Ｂ】本発明の態様による流体カートリッジの遠位端の代替態様の斜視図を示す。
【図３Ａ】本発明の態様による封止キャップの第１の上部斜視図を示す。
【図３Ｂ】本発明の態様による、図３Ａに示した第２の封止キャップの上部斜視図を示す。
【図３Ｃ】本発明の態様による、図３Ａに示した封止キャップの底部斜視図を示す。
【図３Ｄ】本発明の態様によるカートリッジ封止キャップの代替的な態様の上部斜視図を示す。
【図４】本発明の態様によるプラグの斜視図を示す。
【図５】流体カートリッジアセンブリの代替態様の側面図を示す。
【図６Ａ】封止キャップの代替態様の上部斜視図を示す。
【図６Ｂ】図６Ａに示される封止キャップの底部斜視図を示す。
【図７】プラグの代替態様の斜視図を示す。
【図８】流体カートリッジアセンブリの別の代替態様の側面図を示す。
【図９】流体カートリッジの代替態様の遠位端の斜視図を示す。
【図１０】流体カートリッジアセンブリの別の代替態様の側面図を示す。
【図１１】流体カートリッジの別の代替態様の遠位端の斜視図を示す。
【図１２Ａ】封止キャップの別の代替態様の上部斜視図を示す。
【図１２Ｂ】図１２Ａに示される封止キャップの底部斜視図を示す。
【図１３】プラグの別の代替態様の斜視図を示す。
【図１４】流体カートリッジアセンブリの別の代替態様の側面図を示す。
【図１５】流体カートリッジの別の代替態様の遠位端の斜視図を示す。
【図１６Ａ】封止キャップの別の代替態様の上部斜視図を示す。
【図１６Ｂ】図１６Ａに示される封止キャップの底部斜視図を示す。
【図１７】プラグの別の代替態様の斜視図を示す。
【発明を実施するための形態】
【００１２】
本発明は、一般に、１つ又は複数の流体を運搬するための単一及び２連流体カートリッジアセンブリに関する。流体カートリッジアセンブリは、流体カートリッジからのキャップの偶発的な脱落のリスクを低減するような方法で流体カートリッジに嵌合するように構成されたキャップを備える。偶発的な脱落は、輸送、子供のアクセス、又はカートリッジアセンブリの他のタイプの移動中に起こる。キャップは、ロッキング機構が作動されるまで、カートリッジアセンブリからのキャップの取り外しを実質的に阻止するロッキング機構を備える。
【００１３】
特定の用語は、説明において便宜のためにのみ使用されており、制限を意図するものではない。「近位」及び「遠位」という用語は、それぞれ、個人の操作のカートリッジアセンブリに向かう及びそれから離れる位置又は方向をおおむね指す。「内向き」、「外向き」、「軸方向」、「半径方向」、及び「横方向」という用語は、参照される図面内の方向を示す。「実質的に」という用語は、かなりの程度又は大部分を意味することを意図しているが、必ずしも完全に指定することを意図していない。専門用語は、上で列記した用語、それらの派生語、及び類似する意味の用語を含む。
【００１４】
図１は、本発明の態様による流体カートリッジアセンブリ１００の側面図を示す。流体カートリッジアセンブリ１００は、分配される流体を収容するように構成された流体カートリッジ１０１、及び流体カートリッジ１０１と嵌合して流体カートリッジ１０１内の流体を封止するように構成された封止キャップ２００を備える。図１に示すように、封止キャップ２００は、流体カートリッジ１０１に結合されている。流体カートリッジアセンブリ１００はまた、流体カートリッジ１０１の流体チャンバ１０２内でスライドするように構成されたピストン又はプランジャ１０３を備えることができる。流体チャンバ１０２は、流体カートリッジ１０１のカートリッジ本体１０５によって画定されている。流体を分配するために、ピストン１０３は、流体チャンバ１０２を通って遠位方向Ｄに移動し、流体カートリッジ１０１の遠位端１０４から流体を分配させる力を流体に加える。ピストン１０３は、例えば、空気圧で若しくは機械的に作動されたピストン、又は流体を分配するように構成された他のアクチュエータを含むことができる。
【００１５】
図２Ａは、本発明の態様による流体カートリッジ１０１の遠位端１０４の斜視図を示す。流体カートリッジ１０１は、流体カートリッジ１０１の遠位端１０４から近位端１０６まで延在する流体チャンバ１０２を備える。ある態様では、流体カートリッジ１０１は、２連流体カートリッジ（例えば、２ｋカートリッジ）である。流体カートリッジ１０１の近位端１０６は、ピストン１０３を受容して、流体カートリッジ１０１の遠位端１０４において流体チャンバ１０２から外に流体を押し出すように構成されている。以下に更に詳細に説明するように、遠位端１０４は、キャップ２００に接続するための出口ソケット１０８を含む。
【００１６】
出口ソケット１０８は、第１のフランジ１１０ａ及び第２のフランジ１１０ｂ、第１のカートリッジ出口環状壁１１２ａ、及び第２のカートリッジ出口環状壁１１２ｂを含む。カートリッジ出口環状壁１１２ａ及び１１２ｂは、流体カートリッジ１０１の遠位端１０４から遠位方向に延在する。カートリッジ出口環状壁１１２ａ及び１１２ｂは、それぞれカートリッジ出口１１６ａ及び１１６ｂを画定する。カートリッジ出口１１６ａ及び１１６ｂは、流体チャンバ１０２と流体連通している。カートリッジ出口環状壁１１２ａ及び１１２ｂは、カートリッジ出口１１６ａ及び１１６ｂの周辺部の周囲で中断されない。カートリッジ出口環状壁１１２ａ及び１１２ｂは、そこから延在する径方向突出部又は内部に形成された凹部を含むことが理解されるであろう。
【００１７】
各フランジ１１０ａ及び１１０ｂは、カートリッジ本体１０５から外向きに延在する。各フランジ１１０ａ及び１１０ｂは、少なくとも部分的に遠位方向Ｄに延在する。代替的な態様では、各フランジ１１０ａ及び１１０ｂはまた、カートリッジ本体１０５から少なくとも部分的に半径外向きに延在してもよい。各フランジ１１０ａ及び１１０ｂは、それぞれロッキングノッチフランジ１１３ａ及び１１３ｂを含む。各ロッキングノッチフランジ１１３ａ及び１１３ｂは、半径方向内向き方向に少なくとも部分的に面しているそれぞれのフランジ１１０ａ及び１１０ｂの側面上にある。本明細書に記載されているように、各ロッキングノッチフランジ１１３ａ及び１１３ｂは、以下で更に詳細に説明するように、キャップ２００の対応する構造と係合するように構成されている。各フランジ１１０ａ及び１１０ｂはまた、カートリッジ本体１０５の遠位端１０４に取り付けられた支持部材を含むことができ、それにより各フランジ１１０ａ及び１１０ｂのそれぞれに対する支持を提供し、各フランジ１１０ａ及び１１０ｂの偏向及び／又は移動を最小限に抑えることができる。各フランジ１１０ａ及び１１０ｂはまた、位置合わせ凹部１１８を含んでもよい。一態様では、１つのフランジ１１０ａ及び１１０ｂのみが位置合わせ凹部１１８を含む。位置合わせ凹部１１８は、流体カートリッジ１０１の長手方向中心軸から半径方向外側に延在してもよい。位置合わせ凹部１１８は、それぞれのフランジ１１０ａ、１１０ｂを、凹部１１８によって離間された２つのフランジに分割することができる。
【００１８】
図２Ｂは、流体カートリッジ１０１の遠位端１０４’の別の態様の斜視図を示している。遠位端１０４’は、第１のフランジ１１０ａ’、第２のフランジ１１０ｂ’、第１のカートリッジ出口環状壁１１２ａ’、及び第２のカートリッジ出口環状壁１１２ｂ’を含む出口ソケット１０８’を有する。各フランジ１１０ａ’及び１１０ｂ’は、位置合わせ凹部１１８’を含んでもよい。一態様では、１つのフランジ１１０ａ’及び１１０ｂ’のみが位置合わせ凹部１１８’を含む。位置合わせ凹部１１８’は、それぞれのフランジ１１０ａ’、１１０ｂ’を部分的に通って延在してもよい。
【００１９】
図３Ａ〜図３Ｃは、本発明の態様による、流体カートリッジ１０１の出口ソケット１０８に結合するように構成された封止キャップ２００を示す。この封止キャップ２００は、キャップ本体２０１を備える。キャップ本体２０１は、閉じた遠位壁２０２（例えば、キャップ壁）、キャップ環状壁２０４、第１の保持部材２０６、第２の保持部材２０７、及びキャップ本体２０１を把持及び回転させるためのハンドル２１８を含む。一態様では、閉じた遠位壁２０２、キャップ環状壁２０４、第１の保持部材２０６、及びハンドル２１８は、単一の一体型キャップ本体２０１を形成する。キャップ環状壁２０４は、閉じた遠位壁２０２から近位方向Ｐに延在し、保持ビード２１１を有する実質的に円筒形のチャネル２１０を画定する。キャップ環状壁２０４は、外側表面から半径方向外側に延在する位置合わせ突出部２０８を含む。位置合わせ突出部２０８は、位置合わせ凹部１１８と整列して、封止キャップ２００と流体カートリッジ１０１との位置合わせを補助するように構成されている。一態様では、位置合わせ突出部２０８は、流体カートリッジ１０１の１つのフランジ１１０ａ又は１１０ｂのみに封止キャップ２００を取り付けることができるように更に構成されている。代替的な態様では、キャップ環状壁２０４から延在する単一の突起があってもよく、又はキャップ環状壁２０４から延在する２つ以上の突起があってもよい。好ましくは、キャップ環状壁２０４から延在する位置合わせ突出部２０８の数は、フランジ１１０ａ及び１１０ｂ上の位置合わせ凹部１１８の数と同じである。
【００２０】
図３Ｄは、位置合わせ突出部２０８’を含む封止キャップの代替的な態様を示している。位置合わせ突出部２０８’は、三角形又は角錐形状を有する。位置合わせ突出部２０８’は、上述した位置合わせ突出部２０８と同様に機能する。位置合わせ突出部２０８’は、位置合わせ凹部１１８’と整列して、封止キャップ２００と流体カートリッジ１０１との位置合わせを補助するように構成されている。位置合わせ突出部２０８、２０８’の形状は、例えば、正方形、矩形、湾曲又は丸みを帯びた形状、台形形状、又はキャップ２００をカートリッジ１０１と位置合わせするための他の形状を含んでもよいことが理解されるであろう。
【００２１】
第１の保持部材２０６は、掛かり部分２１２、掛かり部分２１２から離間した停止部２１４、及び掛かり部分２１２から停止部２１４までキャップ環状壁２０４の周りに円周方向に延在する基部２１６を含む。一態様では、第１の保持部材２０６は、キャップ環状壁２０４の外面上に配置され、キャップ環状壁２０４の近位端から延在する。更なる態様では、掛かり部分２１２の近位端、停止部２１４、及び基部２１６は、キャップ環状壁２０４の近位端と実質的に同一平面である。
【００２２】
掛かり部分２１２は、キャップ環状壁２０４の近位端に対して角度をなす第１の掛かり部分縁部２２０、及び第２の掛かり部分縁部２２１を含む。基部２１６は、キャップ環状壁２０４の近位端に実質的に平行である基部縁部２２２を含む。停止部２１４は停止部縁部２２４を含む。第２の掛かり部分縁部２２１の基部縁部２２２及び停止部縁部２２４は、第１の保持チャネル２２６を画定する。第１の保持チャネル２２６の円周長は、以下に更に説明するように、第１のフランジ１１０ａのロッキングノッチフランジ１１３ａの円周長に依存する。一態様では、第２の掛かり部分縁部２２１及び停止部縁部２２４は、キャップ環状壁２０４の近位端に対して実質的に垂直である。
【００２３】
第２の保持部材２０７は、停止部２３０、及び停止部２３０からキャップ環状壁２０４の周りに円周方向に延在する基部２３２を含む。一態様では、第２の保持部材２０７は、キャップ環状壁２０４の外面上に配置され、キャップ環状壁２０４の近位端から延在する。更なる態様では、停止部２３０の近位端及び基部２３２は、キャップ環状壁２０４の近位端と実質的に同一平面である。
【００２４】
基部２３２は、キャップ環状壁２０４の近位端に実質的に平行である基部縁部２３４を含む。停止部２３０は停止縁部２３６を含む。基部縁部２３４及び停止縁部２３６は、第２の保持チャネル２３８を画定する。第２の保持チャネル２３８の円周長は、以下に更に説明するように、フランジ１１０ｂのロッキングノッチフランジ１１３ｂの円周長に依存する。一態様では、停止縁部２３６は、キャップ環状壁２０４の近位端に対して実質的に垂直である。代替的な態様では、キャップ本体２０１は、本明細書の開示に基づいて、第１の保持部材２０６のみ、２つの第１の保持部材２０６、又は他の構成を含んでもよいことが理解されるであろう。
【００２５】
図４は、本発明の態様によるプラグ２５０の斜視図を示している。封止キャップ２００は、プラグ２５０を含む。プラグ２５０は、キャップ本体２０１のチャネル２１０内に少なくとも部分的に配置されるように構成されている。プラグ２５０は、プラグ壁２５２、プラグ壁２５２から近位方向Ｐに延在するプラグ部材２５４ａ及び２５４ｂを含む。プラグ部材２５４ａ及び２５４ｂは、流体チャンバ１０２からカートリッジ出口１１６ａ及び１１６ｂを通る流体の流れが実質的に防止されるように、流体カートリッジ１０１のカートリッジ出口１１６ａ及び１１６ｂ内に配置されるように構成されている。一態様では、プラグ部材２５４ａ及び２５４ｂのそれぞれは、実質的に中実の円筒状部材を形成する。
【００２６】
プラグ２５０は、付勢部材２６０を更に含む。付勢部材２６０は、プラグ２５０及び付勢部材２６０が単一の構成要素を形成するように、プラグ壁２５２の遠位側に形成される。代替的な態様では、付勢部材２６０は、プラグ２５０及び付勢部材２６０が２つの別個の構成要素であるように、別個の構成要素であってもよい。一態様では、付勢部材２６０は、別個のばねである。付勢部材２６０は、弾性ばねアーム２６２を含む。弾性ばねアーム２６２は、曲げ、伸張、又は圧縮された後に形状に跳ね返ることができる弾性材料を含む。一態様では、付勢部材２６０は、３つの弾性ばねアーム２６２を含む。本明細書の開示に基づいて、より少ない又はより多くの弾性ばねアーム２６２が、付勢部材２６０を構成することが理解されるであろう。
【００２７】
プラグ２５０は、付勢部材２６０がキャップ本体２０１の遠位壁２０２に当接するように、キャップ本体２０１のチャネル２１０内に少なくとも部分的に配置されるように構成されている。プラグ壁２５２は、プラグ２５０が圧縮され、遠位壁２０２に対して跳ね返ると、プラグ壁２５２が遠位方向及び近位方向にそれぞれ移動するように、チャネル２１０内で摺動可能であるように構成されている。
【００２８】
図５〜図７は、流体カートリッジアセンブリ３００の代替的な実施形態を示す。図５〜図７に開示された実施形態の各部分は、図１〜図４に上述した各態様と同様であり、それらの各部分は、上述したものと同様に機能する。流体カートリッジアセンブリ３００は、２連流体カートリッジ３０１（例えば、２ｋカートリッジ）及び封止キャップ４００を含む２連流体カートリッジアセンブリである。２連流体カートリッジ３０１は、分配される２つの流体を収容するように構成され、封止キャップ４００は、２連流体カートリッジ３０１に嵌合して流体カートリッジ３０１内の流体を封止するように構成されている。
【００２９】
２連流体カートリッジ３０１は、分配前に一緒に混合される２つの流体を収容するために互いに隣接する流体チャンバ３０２ａ及び３０２ｂを含む。図５では２つの流体チャンバ３０２ａ及び３０２ｂが同様のサイズで示されているが、流体チャンバ３０２ａ及び３０２ｂは、本発明と一致する他の態様において、互いに対してサイズ変更されてもよいことを理解されるであろう。流体チャンバ３０２ａ及び３０２ｂは、流体カートリッジ３０１の本体３０３によって画定される。代替的な態様では、本体３０３は、本発明から逸脱することなく、より多くの流体チャンバを含んでもよい。流体カートリッジ３０１の遠位端３０４は、流体カートリッジ１０１の遠位端１０４と実質的に同様に構成されている。
【００３０】
図６Ａ及び図６Ｂは、本発明の態様による、流体カートリッジ３０１の遠位端３０４に結合するように構成された封止キャップ４００を示している。この封止キャップ４００は、キャップ本体４０１を備える。キャップ本体４０１は、閉じた遠位壁４０２、キャップ環状壁４０４、第１の保持部材４０６、第２の保持部材４０７、及びキャップ本体４０１を把持及び回転させるためのハンドル４１８を含む。閉じた遠位壁４０２、キャップ環状壁４０４、第１の保持部材４０６、第２の保持部材４０７、及びハンドル４１８は、上述のように、それぞれ閉じた遠位壁２０２、キャップ環状壁２０４、第１の保持部材２０６、第２の保持部材２０７、及びキャップ本体２０１のハンドル２１８と実質的に同様に構成されてもよい。
【００３１】
閉じた遠位壁４０２は、付勢部材４６０を含む。付勢部材４６０は、キャップ本体４０１及び付勢部材４６０が単一の構成要素を形成するように、遠位壁４０２の近位側に形成される。付勢部材４６０は、弾性ばねアーム４６２を含む。弾性ばねアーム４６２は、上述のように、付勢部材２６０の弾性ばねアーム２６２と実質的に同様に構成されてもよい。
【００３２】
キャップ環状壁４０４は、実質的に円筒形のチャネル４１０を画定し、内部に形成されたアクセス窓４１９を含む。アクセス窓４１９は、操作者がキャップ環状壁４０４を通してチャネル４１０を見ることができるようにする。
【００３３】
図７は、本発明の態様によるプラグ４５０の斜視図を示している。封止キャップ４００は、プラグ４５０を含む。プラグ４５０は、キャップ環状壁４０４によって形成されたキャップ本体４０１のチャネル４１０内に少なくとも部分的に配置されるように構成されている。プラグ４５０は、プラグ壁４５２と、プラグ壁４５２から近位方向Ｐ’に延在するプラグ部材４５４ａ及び４５４ｂとを含む。プラグ壁４５２の遠位側は、プラグ４５０がチャネル４１０内に配置されたときに、キャップ本体４０１上に形成された付勢部材２６０に当接するように構成されている。プラグ部材４５４ａ及び４５４ｂは、流体チャンバ１０２からカートリッジ出口を通る流体の流れが実質的に防止されるように、流体カートリッジ１０１によって画定されるカートリッジ出口内に配置されるように構成されている。一態様では、プラグ部材４５４ａ及び４５４ｂのそれぞれは、実質的に中実の円筒状部材を形成する。
【００３４】
図８及び図９は、流体カートリッジアセンブリ５００の代替的な実施形態を示している。図８及び図９に開示された実施形態の各部分は、流体カートリッジアセンブリ１００及び３００に関して図１〜図７に上述した各態様と同様であり、それらの各部分は、上述したものと同様に機能する。流体カートリッジアセンブリ３００は、２連流体カートリッジ５０１（例えば、２ｋカートリッジ）及び封止キャップ６００を含む２連流体カートリッジアセンブリである。封止キャップ６００は、上述の封止キャップ２００及び４００と実質的に同様に構成されてもよい。
【００３５】
流体カートリッジ５０１の遠位端５０４は、封止キャップ６００に接続するための出口ソケット５０８を含む。出口ソケット５０８は、第１のフランジ５１０ａ、第２のフランジ５１０ｂ、並びに第１及び第２のカートリッジ出口環状壁５１２ａ及び５１２ｂを含む。カートリッジ出口環状壁５１２ａ及び５１２ｂは、流体カートリッジ１０１の出口ソケット１０８のカートリッジ出口環状壁１１２ａ及び１１２ｂと実質的に同様に構成されてもよい。
【００３６】
各フランジ５１０ａ及び５１０ｂは、カートリッジ本体５０５から外向きに延在する。各フランジ５１０ａ及び５１０ｂは、遠位方向Ｄ’’に少なくとも部分的に延在する。各フランジ５１０ａ及び５１０ｂは、それぞれロッキングノッチ５１３ａ及び５１３ｂを含む。各ロッキングノッチ５１３ａ及び５１３ｂは、半径方向内向き方向に少なくとも部分的に面しているそれぞれのフランジ５１０ａ及び５１０ｂの側面上にある。各フランジ５１０ａ及び５１０ｂは、封止キャップ６００の対応する構造を受容するように構成されている。
【００３７】
第２のフランジ５１０ｂ及び対応するロッキングノッチ５１３ｂは、フランジチャネル５１５を形成する。フランジチャネル５１５は、第２のフランジ５１０ｂの内側表面及び対応するロッキングノッチ５１３ｂの周囲に円周方向に延在する。出口ソケット５０８は、付勢部材６６０を更に含む。付勢部材６６０は、流体カートリッジ５０１及び付勢部材６６０が単一の構成要素を形成するように、流体カートリッジ５０１の遠位端５０４の遠位側に形成される。付勢部材６６０は、弾性ばねアーム６６２を含む。弾性ばねアーム６６２は、フランジチャネル５１５内に配置され、流体カートリッジ５０１から遠位方向Ｄ’’に延在する。一態様では、弾性ばねアーム６６２は、弾性ばねアーム６６２が第２のフランジ５１０ｂの内側表面及び対応するロッキングノッチ５１３ｂと実質的に平行であるように、フランジチャネル５１５内で少なくとも部分的に円周方向に延在する。代替的な態様では、弾性ばねアーム６６２は、上述のように、付勢部材２６０及び４６０の弾性ばねアーム２６２及び４６２と実質的に同様に構成された１つ以上のアームを含んでもよい。流体カートリッジ５０１は、付勢部材６６０と実質的に同様に構成され、かつ第１のフランジ５１０ａ及び対応するロッキングノッチ５１３ａによって形成されたフランジチャネル内に配置された第２の付勢部材（図示せず）を含んでもよいことが理解されるであろう。
【００３８】
付勢部材６６０は、封止キャップ６００が流体カートリッジ５０１に連結されたときに、封止キャップ６００のキャップ環状壁６０４の近位端に当接するように構成されている。付勢部材６６０は、キャップ環状壁６０４を遠位方向Ｄ’’に付勢するために、封止キャップ６００のキャップ環状壁６０４に力を提供する。
【００３９】
図１０〜図１３は、流体カートリッジアセンブリ７００の代替的な実施形態を示している。図１０〜図１３に開示された実施形態の各部分は、流体カートリッジアセンブリ１００、３００、及び５００に関して図１〜図９に上述した各態様と同様であり、それらの各部分は、上述したものと同様に機能する。流体カートリッジアセンブリ７００は、単一の流体カートリッジ７０１（例えば、１ｋカートリッジ）及び封止キャップ８００を含む。流体カートリッジ７０１は、流体カートリッジ７０１の遠位端７０４から近位端７０６まで延在する流体チャンバ７０２を備える。流体カートリッジ７０１の近位端７０６は、ピストン又はプランジャを受容して、流体カートリッジ７０１の遠位端７０４において流体チャンバ７０２から外に流体を押し出すように構成されている。遠位端７０４は、封止キャップ８００に接続するための出口ソケット７０８を含む。
【００４０】
流体カートリッジ７０１の出口ソケット７０８は、図１１に更に詳細に示されている。出口ソケット７０８は、第１のフランジ７１０ａ及び第２のフランジ７１０ｂ、カートリッジ出口環状壁７１２、並びに流体出口封止壁７１４を含む。カートリッジ出口環状壁７１２及び流体出口封止壁７１４は、流体カートリッジ７０１の遠位端７０４から遠位方向に延在する。カートリッジ出口環状壁７１２は、流体出口封止壁７１４が中空ポート７１６内に配置されるように、内部に中空ポート７１６を画定し、流体出口封止壁７１４を実質的に取り囲んでいる。流体出口封止壁７１４は、流体チャンバ７０２と流体連通している出口ソケット７１８を画定する。流体出口封止壁７１４は、ルアーテーパを画定する封止面を含む。カートリッジ出口環状壁７１２は、中空ポート７１６の周辺部の周りにおいて途切れていない。
【００４１】
図１２Ａ及び図１２Ｂは、本発明の態様による、流体カートリッジ７０１の遠位端７０４に結合するように構成された封止キャップ８００を示している。この封止キャップ８００は、キャップ本体８０１を備える。キャップ本体８０１は、閉じた遠位壁８０２、キャップ環状壁８０４、第１の保持部材８０６、第２の保持部材８０７、及びキャップ本体８０１を把持及び回転させるためのハンドル８１８を含む。閉じた遠位壁８０２、キャップ環状壁８０４、第１の保持部材８０６、及びハンドル４１８は、上述のように、それぞれ閉じた遠位壁２０２及び４０２、キャップ環状壁２０４及び４０４、第１の保持部材２０６及び４０６、並びにキャップ本体２０１及び４０１のハンドル２１８及び４１８と実質的に同様に構成されてもよい。第２の保持部材８０７は、第１の保持部材８０６と実質的に同様に構成されてもよい。
【００４２】
図１３は、本発明の態様によるプラグ８５０の斜視図を示している。封止キャップ８００は、プラグ８５０を含む。プラグ８５０は、キャップ環状壁８０４によって形成されたキャップ本体８０１のチャネル内に少なくとも部分的に配置されるように構成されている。プラグ８５０は、プラグ壁８５２と、プラグ壁８５２から近位方向Ｐ’’’に延在するプラグ部材８５４とを含む。プラグ部材８５４は、流体カートリッジ７０１から延在するカートリッジ出口環状壁７１２内に配置されるように構成されており、これにより、プラグキャップの内側表面がカートリッジ出口の外側表面を封止し、したがって、流体チャンバ７０２から出口ソケット７１８を通る流体の流れが実質的に防止される。一態様では、プラグ部材８５４は、実質的に中空の円筒状部材を形成する。
【００４３】
プラグ８５０は、付勢部材８６０を更に含む。付勢部材８６０は、プラグ８５０及び付勢部材８６０が単一の構成要素を形成するように、プラグ壁８５２の遠位側に形成される。付勢部材８６０は、弾性バンド８６２を含む。弾性ばねバンド８６２は、プラグ壁８５２を横切って延在し、曲げ、伸張、又は圧縮された後に形状に跳ね返ることができる弾性材料を含む。一態様では、付勢部材８６０は、単一の弾性ばねアーム２６２を含む。本明細書の開示に基づいて、より少ない又はより多くの弾性ばねアーム２６２が、付勢部材２６０を構成することが理解されるであろう。
【００４４】
図１４〜図１７は、流体カートリッジアセンブリ９００の代替的な実施形態を示している。図１４〜図１７に開示された実施形態の各部分は、図１〜図１３に上述した各態様と同様であり、それらの各部分は、上述したものと同様に機能する。流体カートリッジアセンブリ９００は、２連流体カートリッジ９０１（例えば、２ｋカートリッジ）及び封止キャップ１０００を含む２連流体カートリッジアセンブリである。一態様では、２連流体カートリッジ９０１は、現在製造され、市販されている、標準的又は商業的な２連流体カートリッジである。２連流体カートリッジ９０１は、分配される２つの流体を収容するように構成され、封止キャップ１０００は、２連流体カートリッジ９０１に嵌合して流体カートリッジ９０１内の流体を封止するように構成されている。
【００４５】
図１６Ａ及び図１６Ｂは、本発明の態様による、流体カートリッジ９０１の遠位端９０４に結合するように構成された封止キャップ１０００を示している。この封止キャップ１０００は、キャップ本体１００１を備える。キャップ本体１００１は、閉じた遠位壁１００２、キャップ環状壁１００４、第１の保持部材１００６、第２の保持部材１００７を含む。閉じた遠位壁１００２、キャップ環状壁１００４、及び第１の保持部材１００６は、上述のように、それぞれ閉じた遠位壁２０２、４０２、及び８０２、キャップ環状壁２０４、４０４、及び８０４、並びにキャップ本体２０１、４０１、及び８０１の第１の保持部材２０６、４０６、及び８０６と実質的に同様に構成されてもよい。第２の保持部材１００７は、第１の保持部材１００６と実質的に同様に構成されてもよい。
【００４６】
図１７は、本発明の態様によるプラグ１０５０の斜視図を示している。封止キャップ１０００は、プラグ１０５０を含む。プラグ１０５０は、キャップ本体１００１のチャネル２１０内に少なくとも部分的に配置されるように構成されている。プラグ１０５０は、プラグ壁１０５２と、プラグ壁１０５２から近位方向Ｐ’に延在するプラグ部材１０５４ａ及び１０５４ｂとを含む。プラグ部材１０５４ａ及び１０５４ｂは、流体チャンバ９０２からカートリッジ出口を通る流体の流れが実質的に防止されるように、流体カートリッジ９０１のカートリッジ出口内に配置されるように構成されている。
【００４７】
プラグ１０５０は、付勢部材１０６０を更に含む。付勢部材１０６０は、プラグ１０５０及び付勢部材１０６０が単一の構成要素を形成するように、プラグ壁１０５２の遠位側に形成される。付勢部材１０６０は、ｘ字形状の弾性ばねアーム１０６２を含む。付勢部材１０６０は、付勢部材２６０、４６０、及び８６０と実質的に同様に機能するように構成されている。
【００４８】
流体カートリッジ１０１、３０１、５０１、７０１、及び９０１、並びに封止キャップ２００、４００、６００、８００、及び１０００によって画定される正確な外観及び構造は、本発明の範囲から逸脱することなく変更されてもよい。例えば、流体カートリッジアセンブリ１００、３００、５００、７００、及び９００に関して説明される要素は、互いに組み込まれてもよい。
【００４９】
流体カートリッジアセンブリ１００を使用するための方法の一例は、封止キャップ２００を流体カートリッジ１０１に取り付けることによって開始する。封止キャップ２００は、プラグ２５０のプラグ部材２５４ａ及び２５４ｂを流体カートリッジ１０１のカートリッジ出口１１６ａ及び１１６ｂにそれぞれ挿入することによって、流体カートリッジ１０１に取り付けられる。プラグ２５０が挿入されると、封止キャップ２００の位置合わせ突出部２０８は、流体カートリッジ１０１の位置合わせ凹部１１８と位置合わせされ、流体カートリッジ１０１に対する封止キャップ２００の位置合わせを維持する。
【００５０】
プラグ部材２５４ａ及び２５４ｂがカートリッジ出口１１６ａ及び１１６ｂに挿入された後、キャップ本体２０１は、封止キャップ２００の保持部材２０６及び２０７がフランジ１１０ａ及び１１０ｂに対して回転するように回転される。キャップ本体２０１の回転中、第１の掛かり部分縁部２２０は第１のフランジ１１０ａと係合し、これにより、キャップ本体２０１は流体カートリッジ１０１に向かって移動する。キャップ本体２０１は、停止部２１４及び／又は停止部２３０がフランジ１１０ａ及び１１０ｂの端部にそれぞれ接触するまで、回転し続ける。キャップ本体２０１の回転が完了した後、キャップ本体２０１の遠位壁２０２に対して付勢部材２６０によって提供される付勢力が、各フランジ１１０ａ及び１１０ｂをそれぞれ第１の保持チャネル２２６及び第２の保持チャネル２３８内に移動させ、封止キャップ２００を流体カートリッジ１０１に固定する。プラグ２５０は、キャップ本体２０１の回転中に、キャップ本体２０１に対して回転する。
【００５１】
封止キャップ２００を流体カートリッジ１０１に固定するためにキャップ本体２０１を回転させる前は、封止キャップ２００の「ロック解除」位置と呼ぶことができる。プラグ部材２５４ａ及び２５４ｂがカートリッジ出口１１６ａ及び１１６ｂに挿入され、停止部２１４及び２３０がそれぞれのフランジ１１０ａ及び１１０ｂに接触するまでのキャップ本体２０１の回転中は、封止キャップ２００の「解放」位置と呼ぶことができる。各フランジ１１０ａ及び１１０ｂがそれぞれの保持チャネル２２６及び２３８内に配置されると、封止キャップ２００の「ロック」位置と呼ぶことができる。封止キャップ２００がロック位置にあるとき、流体カートリッジ１０１からの封止キャップ２００の偶発的な脱落（例えば、子供のアクセス）のリスクが低減される。封止キャップ２００の保持部材２０６及び２０７、並びに流体カートリッジ１０１のフランジ１１０ａ及び１１０ｂは、子供が流体カートリッジからキャップを解放することをより困難にするように作用する。保持部材２０６及び２０７並びにフランジ１１０ａ及び１１０ｂはまた、例えば、輸送、取扱い、又は他の種類の動きの間の偶発的な脱落のリスクを低減する。
【００５２】
封止キャップ２００を流体カートリッジ１０１から取り外すために、操作者は、キャップ本体２０１を近位方向Ｐに押し下げてロック位置から解放位置へと封止キャップ２００を移行させることができる。封止キャップ２００が解放位置にあると、キャップ本体２０１は、保持部材２０６及び２０７がそれぞれのフランジ１１０ａ及び１１０ｂともはや接触しなくなる（例えば、ロック解除位置）まで回転される。封止キャップ２００がロック解除位置にあると、封止キャップ２００を流体カートリッジ１０１から遠位方向Ｄに引き離すことによって、封止キャップ２００を取り外すことができる。
【００５３】
流体カートリッジアセンブリ１００を使用するための上述した例では、流体カートリッジアセンブリ１００が参照されたが、同様の方法はまた、流体カートリッジアセンブリ３００、５００、７００、及び９００によっても採用することができる。
【００５４】
前述の説明は、本発明のシステム及び方法の例を提供していることを理解されるであろう。しかしながら、本発明の他の実施態様は、細部では、前述の例と異なってもよいと考えられる。本発明、又はその例に対する全ての言及は、その時点で考察されている特定の例を参照することを意図されており、より一般的には、本発明の範囲に応じた限定を意味することを意図されるものではない。特定の特徴に関する区別及び軽視に関するあらゆる言い回しは、それらの特徴の優先度の不足を示すことを意図されているが、特段の明示がない限り、本発明の範囲からそのような言い回しを完全に排除することを意図するものではない。
【図１】
2021524424.tif 000003
【図２Ａ】
2021524424.tif 000004
【図２Ｂ】
2021524424.tif 000005
【図３Ａ】
2021524424.tif 000006
【図３Ｂ】
2021524424.tif 000007
【図３Ｃ】
2021524424.tif 000008
【図３Ｄ】
2021524424.tif 000009
【図４】
2021524424.tif 000010
【図５】
2021524424.tif 000011
【図６Ａ】
2021524424.tif 000012
【図６Ｂ】
2021524424.tif 000013
【図７】
2021524424.tif 000014
【図８】
2021524424.tif 000015
【図９】
2021524424.tif 000016
【図１０】
2021524424.tif 000017
【図１１】
2021524424.tif 000018
【図１２Ａ】
2021524424.tif 000019
【図１２Ｂ】
2021524424.tif 000020
【図１３】
2021524424.tif 000021
【図１４】
2021524424.tif 000022
【図１５】
2021524424.tif 000023
【図１６Ａ】
2021524424.tif 000024
【図１６Ｂ】
2021524424.tif 000025
【図１７】
2021524424.tif 000026
【国際調査報告】
2021524424.tif 000027
2021524424.tif 000028